(57)【要約】【課題】壁との突合せ部に見切り縁が設けられた天井を、簡便に、見栄えよくリフォームできる見切り縁用カバー材および天井のリフォーム方法を提供する。【解決手段】見切り縁用カバー材１は、下面部１１と上面部１３とそれらを連結する側面部１５とを備えて断面略コ字状に構成された長尺の部材であり、上面部１３の幅は、下面部１１の幅よりも狭く、上面部１３を天井２００と見切り縁１００との間に挿入したときに、下面部１１が見切り縁１００の表板部１０１の下面を覆うようになっている。【選択図】図２
2017089264.tif 000002
【特許請求の範囲】
【請求項１】
建築物の天井と壁との突合せ部に設けられた、天井に対して略平行に配置された表板部を備える見切り縁に取り付けられる見切り縁用カバー材であって、
下面部と、上面部と、前記下面部および前記上面部を連結する側面部とを備えて断面略コ字状に構成された長尺の部材であり、
前記上面部の幅は、前記下面部の幅よりも狭く、
前記上面部を天井と見切り縁との間に挿入したときに、前記下面部が見切り縁の表板部の下面を覆うようになっている見切り縁用カバー材。
【請求項２】
前記上面部を天井と見切り縁との間に挿入したときに、前記下面部が見切り縁の表板部に接触するようになっている、請求項１に記載の見切り縁用カバー材。
【請求項３】
前記下面部と前記側面部とがなす角度および前記上面部と前記側面部とがなす角度のいずれか一方または両方が８８°超９０°未満である、請求項２に記載の見切り縁用カバー材。
【請求項４】
前記上面部の挿入方向の先端部の上面または下面が傾斜面とされており、先端に向かうにつれて肉薄になっている、請求項１〜３のいずれか一項に記載の見切り縁用カバー材。
【請求項５】
前記見切り縁が、前記表板部の壁側とは反対側の端部から上方に立ち上がる前板部と、前記前板部の上端から壁方向に延出する折返し部とをさらに備え、
前記上面部の下面に突起が形成されており、天井と見切り縁との間に前記上面部を挿入したときに、前記突起が前記折返し部に係止されるようになっている、請求項１〜４のいずれか一項に記載の見切り縁用カバー材。
【請求項６】
前記上面部の上面に突起が形成されている、請求項１〜５のいずれか一項に記載の見切り縁用カバー材。
【請求項７】
前記側面部の上端部に、軟質樹脂からなる舌片が突設され、前記下面部の前記側面部側とは反対側の端部に、軟質樹脂からなる舌片が突設されている、請求項１〜６のいずれか一項に記載の見切り縁用カバー材。
【請求項８】
壁との突合せ部に見切り縁が設けられ、前記見切り縁が、天井に対して略平行に配置された表板部を備える天井のリフォーム方法であって、
天井と見切り縁との間に、請求項１〜７のいずれか一項に記載の見切り縁用カバー材の前記上面部を挿入し、見切り縁に前記見切り縁用カバー材を取り付ける工程を備える天井のリフォーム方法。
【請求項９】
天井に化粧シートが貼り付けられており、
前記見切り縁用カバー材を取り付ける工程の前に、前記見切り縁の外側に露出している化粧シートを剥がし、前記化粧シートを剥がした部分に別の化粧シートを貼り付ける工程を備える、請求項８に記載の天井のリフォーム方法。
【発明の詳細な説明】
【技術分野】
【０００１】
本発明は、見切り縁用カバー材および天井のリフォーム方法に関する。
【背景技術】
【０００２】
天井と壁との継ぎ目を隠蔽するために、天井と壁との突合せ部に見切り縁や廻り縁を設けることが行われている。このような目的で用いられる見切り縁としては、天井よりも下側（室内側）に配置される表板部と、天井の上側にて天井下地材等に固定される裏板部と、天井と壁との間を通り、表板部と裏板部とを連結する縦板部とから構成される断面略コ字状のものが一般的である。表板部と天井との間には通常、隙間が設けられている。また、表板部と天井との間の隙間を小さくして見栄えをよくするために、表板部の端部（壁側とは反対側）から立ち上がる前板部が設けられていることが多い。
【０００３】
天井に貼り付けられたクロス等の化粧シートが汚れたり古くなったりすると、天井から剥がし、新しい化粧シートを貼り付けて天井をリフォームすることが行われる。
天井に貼り付けられている既存の化粧シートの末端は見切り縁で隠されていることが多いが、見切り縁や廻り縁を撤去するには手間と時間がかかる。また、撤去する際に天井や壁を損傷するおそれがある。そのため、リフォームの際には、既存の見切り縁や廻り縁を撤去せず、見切り縁や廻り縁に沿って化粧シートを切断して化粧シートを剥がすのが通常である。
【０００４】
既存の見切り縁や廻り縁を撤去せずにリフォームを行うため、既存の廻り縁の上に、既存の廻り縁全体を覆う大きさの新たな廻り縁を設ける方法（特許文献１〜２）や、壁との突合せ部に見切り縁が設置された天井の下に新たな天井材および見切り縁を固定する方法（特許文献３）が提案されている。
しかし、既存の見切り縁に新たな廻り縁を設けると、縁が大きくなり見栄えが悪くなる。新たな天井材および見切り縁を固定する方法は、施工に手間がかかる、コストが高い等の問題がある。
【先行技術文献】
【特許文献】
【０００５】
【特許文献１】特開２００１−３２３６５１号公報
【特許文献２】特開２００３−３１４０４９号公報
【特許文献３】特開２００３−２７８３７８号公報
【発明の概要】
【発明が解決しようとする課題】
【０００６】
本発明は、壁との突合せ部に見切り縁が設けられた天井を、簡便に、見栄えよくリフォームできる見切り縁用カバー材および天井のリフォーム方法を提供することを目的とする。
【課題を解決するための手段】
【０００７】
本発明は、以下の態様を有する。
［１］建築物の天井と壁との突合せ部に設けられた、天井に対して略平行に配置された表板部を備える見切り縁に取り付けられる見切り縁用カバー材であって、
下面部と、上面部と、前記下面部および前記上面部を連結する側面部とを備えて断面略コ字状に構成された長尺の部材であり、
前記上面部の幅は、前記下面部の幅よりも狭く、
前記上面部を天井と見切り縁との間に挿入したときに、前記下面部が見切り縁の表板部の下面を覆うようになっている見切り縁用カバー材。
［２］前記上面部を天井と見切り縁との間に挿入したときに、前記下面部が見切り縁の表板部に接触するようになっている、［１］に記載の見切り縁用カバー材。
［３］前記下面部と前記側面部とがなす角度および前記上面部と前記側面部とがなす角度のいずれか一方または両方が８８°超９０°未満である、［２］に記載の見切り縁用カバー材。
［４］前記上面部の挿入方向の先端部の上面または下面が傾斜面とされており、先端に向かうにつれて肉薄になっている、［１］〜［３］のいずれかに記載の見切り縁用カバー材。
［５］前記見切り縁が、前記表板部の壁側とは反対側の端部から上方に立ち上がる前板部と、前記前板部の上端から壁方向に延出する折返し部とをさらに備え、
前記上面部の下面に突起が形成されており、天井と見切り縁との間に前記上面部を挿入したときに、前記突起が前記折返し部に係止されるようになっている、［１］〜［４］のいずれかに記載の見切り縁用カバー材。
［６］前記上面部の上面に突起が形成されている、［１］〜［５］のいずれかに記載の見切り縁用カバー材。
［７］前記側面部の上端部に、軟質樹脂からなる舌片が突設され、前記下面部の前記側面部側とは反対側の端部に、軟質樹脂からなる舌片が突設されている、［１］〜［６］のいずれかに記載の見切り縁用カバー材。
［８］壁との突合せ部に見切り縁が設けられ、前記見切り縁が、天井に対して略平行に配置された表板部を備える天井のリフォーム方法であって、
天井と見切り縁との間に、［１］〜［７］のいずれかに記載の見切り縁用カバー材の前記上面部を挿入し、見切り縁に前記見切り縁用カバー材を取り付ける工程を備える天井のリフォーム方法。
［９］天井に化粧シートが貼り付けられており、
前記見切り縁用カバー材を取り付ける工程の前に、前記見切り縁の外側に露出している化粧シートを剥がし、前記化粧シートを剥がした部分に別の化粧シートを貼り付ける工程を備える、［８］に記載の天井のリフォーム方法。
【発明の効果】
【０００８】
本発明の見切り縁用カバー材および天井のリフォーム方法によれば、壁との突合せ部に見切り縁が設けられた天井を、簡便に、見栄えよくリフォームできる。
【図面の簡単な説明】
【０００９】
【図１】第１実施形態の見切り縁用カバー材の斜視図である。
【図２】第１実施形態の見切り縁用カバー材を用いた天井のリフォーム方法（見切り縁用カバー材を見切り縁に取り付ける前の状態）を説明する図である。
【図３】第１実施形態の見切り縁用カバー材を用いた天井のリフォーム方法（見切り縁用カバー材を見切り縁に取り付けた状態）を説明する図である。
【図４】第２実施形態の見切り縁用カバー材の断面図である。
【図５】第３実施形態の見切り縁用カバー材の断面図である。
【図６】第３実施形態の見切り縁用カバー材の上面部の挿入方向の先端部の拡大断面図である。
【図７】第４実施形態の見切り縁用カバー材の断面図である。
【図８】第５実施形態の見切り縁用カバー材の断面図である。
【図９】第５実施形態の見切り縁用カバー材を見切り縁に取り付けた状態を示す断面図である。
【図１０】第６実施形態の見切り縁用カバー材の断面図である。
【発明を実施するための形態】
【００１０】
以下、本発明を、添付の図面を参照し、実施形態を示して説明する。ただし本発明は以下の実施形態に限定されるものではない。
【００１１】
＜第１実施形態＞
図１は、本発明の第１実施形態の見切り縁用カバー材１の斜視図である。図２は、建築物の天井２００と壁３００との突合せ部に設けられた見切り縁１００に見切り縁用カバー材１を取り付ける前の状態を示す断面図である。図３は、見切り縁１００に見切り縁用カバー材１を取り付けた状態を示す断面図である。
【００１２】
見切り縁１００は、
天井２００の表側（図中下側）に、天井２００に対して略平行に、天井２００との間に間隔をあけて配置された表板部１０１と、
天井２００の裏側（図中上側）に、天井２００に対して略平行に配置された裏板部１０３と、
表板部１０１と裏板部１０３とを連結する縦板部１０５と、
表板部１０１の壁３００側とは反対側の端部から上方に立ち上がる前板部１０７と、
前板部１０７の上端から壁３００方向に延出する折返し部１０９と、
を備えており、全体として断面コ字状に構成されている。
表板部１０１と前板部１０７とは直交し、前板部１０７と折返し部１０９は直交している。
前板部１０７および折返し部１０９と裏板部１０３との間に天井２００の端部が挿入されている。見切り縁１００および天井２００はそれぞれ、図示しない天井下地材に固定されている。本実施形態では、前板部１０７と天井２００との間、および折返し部１０９と天井２００との間に隙間が存在する。
天井２００の室内側の主面には、クロス等の化粧シート２１０が貼り付けられている。壁３００の室内側の主面には、クロス等の化粧シート３１０が貼り付けられている。
【００１３】
（見切り縁用カバー材）
本実施形態の見切り縁用カバー材１は、下面部１１と、上面部１３と、下面部１１および上面部１３を連結する側面部１５とを備えて断面略コ字状に構成された長尺の部材である。下面部１１と上面部１３と側面部１５とは一体的に成形されている。
下面部１１と側面部１５とは直交し、上面部１３と側面部１５とは直交している。
【００１４】
見切り縁用カバー材１の内面側における側面部１５の高さｈは、見切り縁１００の前板部１０７の高さ以上である。これにより、上面部１３を天井２００と前板部１０７との間に挿入したときに、下面部１１が見切り縁１００の表板部１０１よりも下側に配置され、表板部１０１の下面を覆うようになっている。
「内面」とは、見切り縁用カバー材１を見切り縁１００に取り付けたときに見切り縁１００の表板部１０１が配置される側の面である。その反対側の面が「外面」である。
【００１５】
側面部１５の高さｈは、（見切り縁１００の前板部１０７の高さ）〜（見切り縁１００の前板部１０７の高さ＋１．０ｍｍ）の範囲内であることが好ましく、（見切り縁１００の前板部１０７の高さ）〜（見切り縁１００の前板部１０７の高さ＋０．５ｍｍ）の範囲内であることがより好ましい。側面部１５の高さｈと見切り縁１００の前板部１０７の高さとの差が少ないほど、見切り縁１００に見切り縁用カバー材１を取り付けたときに、外観上の大きさの変化が少なく、見切り縁用カバー材１が目立ちにくく、見栄えが良好である。
【００１６】
下面部１１の幅Ｗ１は、見切り縁１００の表板部１０１の幅と略同一であるか、それよりも広いことが好ましい。これにより、上面部１３を天井２００と見切り縁１００の前板部１０７との間に挿入したときに、下面部１１によって見切り縁１００の表板部１０１全体を覆うことができ、見栄えが良好である。
下面部１１の幅Ｗ１は、下面部１１の側面部１５側の末端からその反対側の末端（先端）までの距離である。
見切り縁１００の表板部１０１の幅と略同一であるとは、表板部１０１の幅±０．５ｍｍ以内であることを示す。
【００１７】
下面部１１の幅Ｗ１は、（見切り縁１００の表板部１０１の幅＋側面部１５の厚み）〜（見切り縁１００の表板部１０１の幅＋側面部１５の厚み＋２．５ｍｍ）の範囲内であることが好ましく、（見切り縁１００の表板部１０１の幅＋側面部１５の厚み）〜（見切り縁１００の表板部１０１の幅＋側面部１５の厚み＋１．０ｍｍ）の範囲内であることがより好ましい。下面部１１の幅Ｗ１が上記範囲の下限値以上であれば、下面部１１によって見切り縁１００の表板部１０１全体を覆うことができ、見栄えが良好である。下面部１１の幅Ｗ１が上記範囲の上限値以下であれば、見切り縁１００に見切り縁用カバー材１を取り付けたときに、外観上の大きさの変化が少なく、見切り縁用カバー材１が目立ちにくく、見栄えが良好である。
【００１８】
上面部１３の幅Ｗ２は、下面部１１の幅Ｗ１よりも狭い。上面部１３の幅Ｗ２が下面部１１の幅Ｗ１と同じかそれよりも広いと、上面部１３を天井２００と見切り縁１００の前板部１０７との間に挿入したときに、側面部１５と前板部１０７とが当接する位置まで、または下面部１１の壁３００側の末端が壁３００に当接する位置まで上面部１３を押し込む前に、上面部１３の先端が縦板部１０５に当接してしまい、表板部１０１の下面を下面部１１で充分に覆えなくなる。
上面部１３の幅Ｗ２は、上面部１３の側面部１５側の末端からその反対側の末端（先端）までの距離である。
【００１９】
上面部１３の幅Ｗ２は、（見切り縁１００の前板部１０７の厚み＋１．０ｍｍ）〜（下面部１１の幅Ｗ１−見切り縁１００の縦板部１０５の厚み）の範囲内であることが好ましい。見切り縁１００に折返し部１０９がある場合は、（見切り縁１００の折返し部１０９の幅＋１．０ｍｍ）〜（下面部１１の幅Ｗ１−見切り縁１００の縦板部１０５の厚み）の範囲内であることが好ましい。上面部１３の幅Ｗ２が上記範囲の下限値以上であれば、見切り縁１００に取り付けた見切り縁用カバー材１がはずれにくい。
【００２０】
下面部１１、上面部１３、側面部１５それぞれの厚みは、強度、可とう性等を考慮して適宜設定すればよく、例えば０．３〜１．５ｍｍとすることができる。
【００２１】
下面部１１、上面部１３、側面部１５それぞれの材質としては、可とう性を有するものが好ましく、例えばポリ塩化ビニル（硬質または軟質）、ポリエチレン、ポリプロピレン、ポリスチレン、アクリロニトリル−ブタジエン−スチレン（ＡＢＳ）樹脂、アクリロニトリル−スチレン−アクリル（ＡＳＡ）樹脂等の樹脂が挙げられる。なお、鋼板、アルミニウム等の金属製でもよい。
見切り縁用カバー材１は、例えば、上記のような樹脂を押出成形法等の公知の成形法で成形することにより製造できる。
【００２２】
（天井のリフォーム方法）
図２〜３を用いて、本実施形態の見切り縁用カバー材１を用いた天井２００のリフォーム方法を説明する。
まず、天井２００の見切り縁１００の外側に露出している既存の化粧シート（図示なし）を剥がし、別の化粧シート２１０を貼り付ける。
見切り縁１００と天井２００との間は狭いため、天井２００に化粧シート２１０が貼り付けられるのは通常、見切り縁１００の前板部１０７付近までであるが、既存の化粧シートが見切り縁１００で覆われている部分（前板部１０７よりも壁３００側）まで貼り付けられている場合は、既存の化粧シートを前板部１０７に沿って切断し、露出している部分を天井２００から剥がして化粧シート２１０を貼り付ける。
【００２３】
次いで、図２に示すように、見切り縁用カバー材１を、上面部１３側を天井２００側に向けて配置し、天井２００と見切り縁１００の前板部１０７との間に上面部１３を挿入し、なるべく奥まで押し込んで見切り縁用カバー材１を見切り縁１００に取り付ける。
これにより、見切り縁１００が見切り縁用カバー材１で覆われて見えなくなる。また、見切り縁１００の前板部１０７が側面部１５で覆われるため、側面部１５の厚みの分、化粧シート２１０の外縁が見えにくくなる。そのため、天井２００と壁３００との突合せ部の見栄えが良好になる。
また、見切り縁用カバー材１は、上面部１３が見切り縁１００の前板部１０７の上縁および折返し部１０９によって保持されるため、見切り縁用カバー材１をさらに釘、ビス等で見切り縁１００に固定する必要はない。そのため、上面部１３に挿入するだけの簡単な方法で見切り縁１００に取り付けることができる。
特に本実施形態では、図３に示すように、見切り縁用カバー材１の下面部１１および側面部１５がそれぞれ見切り縁１００の表板部１０１および前板部１０７に接触した状態になる。下面部１１が表板部１０１に接触すると、それらが接触していない場合に比べて、見切り縁１００との厚さの差が少なく目立ちにくく、また、見切り縁用カバー材１が見切り縁１００からはずれにくい。また、側面部１５が前板部１０７に接触すると、それらが接触していない場合に比べて、見切り縁１００との幅の差が少なく目立ちにくい。
【００２４】
＜第２実施形態＞
図４は、本発明の第２実施形態の見切り縁用カバー材２の断面図である。
なお、以下において、上述の第１実施形態で挙げた構成要素と同じの構成要素には同一の符号を付して詳細な説明を省略する。
本実施形態の見切り縁用カバー材２は、下面部１１と側面部１５とがなす角度θ１が８８°超９０°未満であること以外は第１実施形態の見切り縁用カバー材１と同様である。
上面部１３と側面部１５とは、第１実施形態と同様、直交している（上面部１３と側面部１５とがなす角度θ２が９０°）。
【００２５】
角度θ１が９０°未満であることにより、上面部１３の挿入方向の先端（側面部１５側とは反対側の末端）に向かうにつれて下面部１１から上面部１３までの高さが低くなっている。そのため、天井２００と見切り縁１００の前板部１０７との間に上面部１３を挿入し、見切り縁用カバー材２を見切り縁１００に取り付けたときに、下面部１１を見切り縁１００の表板部１０１側に、上面部１３を見切り縁１００の折返し部１０９側にそれぞれ強く押し付けられる。そのため、見切り縁１００の表板部１０１、前板部１０７および折返し部１０９が見切り縁用カバー材２によってくわえ込まれた状態になり、取り付けた見切り縁用カバー材２が見切り縁１００からはずれにくい。
角度θ１が８８°超であれば、見切り縁用カバー材２を取り付けたときの下面部１１と側面部１５とがなす角の部分への負荷が少ない。
【００２６】
なお、ここでは下面部１１と側面部１５とがなす角度θ１が８８°超９０°未満である例を示したが、８８°超９０°未満であるのは、上面部１３と側面部１５とがなす角度θ２であってもよく、角度θ１および角度θ２の両方であってもよい。上面部１３よりも下面部１１の方が幅が広く、くわえ込む力がより強くなる点で、少なくとも角度θ１が８８°超９０°未満であることが好ましい。
【００２７】
＜第３実施形態＞
図５は、本発明の第３実施形態の見切り縁用カバー材３の断面図である。図６は、見切り縁用カバー材３の上面部１３の挿入方向の先端部の拡大断面図である。
本実施形態の見切り縁用カバー材３は、上面部１３の挿入方向の先端部の上面（外面）が傾斜面１３ａとされていること以外は第２実施形態の見切り縁用カバー材２と同様である。
【００２８】
傾斜面１３ａは、上面部１３の挿入方向先端の、挿入方向と直交する端面１３ｂから側面部１５側に向かって斜め上方に傾斜しており、これによって、上面部１３の先端部が、先端に向かうにつれて肉薄になっている。
上面部１３の先端部が先端に向かうにつれて肉薄になっていることにより、天井２００と見切り縁１００の前板部１０７との間に上面部１３を挿入しやすくなっている。
上面部１３の挿入方向に対する傾斜面１３ａの傾斜角度θ３は、適宜設定でき、例えば５〜４５°とすることができる。
【００２９】
なお、ここでは上面部１３の挿入方向の先端部の上面を傾斜面とした例を示したが、先端部の下面（内面）を傾斜面としてもよく、先端部の上面および下面の両方を傾斜面としてもよい。側面部１５付近を手で持って上面部１３を挿入する場合、先端側が上向きになるため、先端部の上面が傾斜面である方が、より挿入しやすい点で好ましい。
【００３０】
＜第４実施形態＞
図７は、本発明の第４実施形態の見切り縁用カバー材４の断面図である。
本実施形態の見切り縁用カバー材４は、上面部１３の上面（外面）に複数の突起１７が形成されている以外は第３実施形態の見切り縁用カバー材３と同様である。
【００３１】
上面部１３の上面に突起１７が形成されていることにより、突起１７が形成されていない場合に比べて、上面部１３の上面と天井２００や化粧シート２１０との接触面積が少なくなっている。そのため、見切り縁１００の前板部１０７との間に上面部１３を挿入する際、上面部１３が天井２００や化粧シート２１０の表面を滑りやすく、挿入しやすい。
【００３２】
突起１７は、見切り縁用カバー材４の長さ方向に沿って連続して形成されていてもよく、断続的に形成されていてもよい。突起１７としては、例えば、凸条、ドット等が挙げられる。
突起１７の断面形状としては、半球状、三角錐状等が挙げられる。滑りやすさの点では半球状、三角錐状が好ましい。
【００３３】
なお、ここでは突起１７を複数形成した例を示したが、突起１７は１つでもよい。
また、突起１７が上面部１３の上面の一部に形成されている例を示したが、突起１７が上面部１３の上面全体に形成されていてもよい。
【００３４】
＜第５実施形態＞
図８は、本発明の第５実施形態の見切り縁用カバー材５の断面図である。図９は、見切り縁１００に見切り縁用カバー材５を取り付けた状態を示す断面図である。
本実施形態の見切り縁用カバー材５は、上面部１３の下面（内面）に突起１９が形成されている以外は第３実施形態の見切り縁用カバー材３と同様である。
【００３５】
突起１９は、上面部１３の下面から下方に延びる端面１９ａと、端面１９ａの下端から挿入方向先端側に向かって斜め上方に傾斜する傾斜面１９ｂとを有する直角三角形状の断面を有し、上面部１３と一体的に形成されている。突起１９は、見切り縁用カバー材５の長さ方向に沿って連続して形成されていてもよく、断続的に形成されていてもよい。
突起１９は、突起１９の側面部１５側の末端（端面１９ａ）の位置が、見切り縁１００に見切り縁用カバー材５を取り付けたときの折返し部１０９の壁３００側末端の位置となるように形成されている。これにより、図９に示すように、天井２００と見切り縁１００の前板部１０７との間に上面部１３を挿入し、見切り縁用カバー材５を見切り縁１００に取り付けたときに、突起１９が折返し部１０９に係止され、取り付けた見切り縁用カバー材５が見切り縁１００からはずれにくくなっている。
【００３６】
なお、突起１９を設ける位置は、折返し部１０９の壁３００側末端の位置よりも壁３００側であってもよい。突起１９の断面形状は直角三角形状以外の形状、たとえば半球状等であってもよい。
【００３７】
＜第６実施形態＞
図１０は、本発明の第６実施形態の見切り縁用カバー材６の断面図である。
本実施形態の見切り縁用カバー材６は、側面部１５の上端部に軟質樹脂からなる舌片２１が突設され、下面部１１の側面部１５側とは反対側の端部に軟質樹脂からなる舌片２３が突設されていている以外は第５実施形態の見切り縁用カバー材５と同様である。
【００３８】
舌片２１、舌片２３それぞれを構成する軟質樹脂としては、例えば軟質塩化ビニル、オレフィン系エラストマー、スチレン系エラストマー等が挙げられる。舌片２１、２３は、見切り縁用カバー材６と共押出成形法により一体成形することにより製造できる。
舌片２１の色調としては、見切り縁用カバー材６または化粧シート２１０と同じであることが好ましい。
舌片２３の色調としては、見切り縁用カバー材６または化粧シート３１０と同じであることが好ましい。
【００３９】
側面部１５の上端部に舌片２１が突設されていることで、見切り縁用カバー材６と天井２００や化粧シート２１０との境界をよりきれいに見せることができる。例えば側面部１５の上端と天井２００や化粧シート２１０との間に隙間ががある場合に、舌片２１によってこの隙間を隠すことができる。また、化粧シート２１０の外縁がより見えにくくなる。
【００４０】
下面部１１の側面部１５側とは反対側の端部に舌片２３が突設されていることで、見切り縁用カバー材６と化粧シート３１０との境界をよりきれいに見せることができる。例えば見切り縁用カバー材６と化粧シート３１０との間に隙間がある場合に、舌片２３によってこの隙間を隠すことができる。
【００４１】
以上、第１〜第６実施形態を説明したが、本発明は上記実施形態に限定されない。上記実施形態における各構成およびそれらの組み合わせ等は一例であり、本発明の趣旨を逸脱しない範囲内で、構成の付加、省略、置換、およびその他の変更が可能である。
例えば、見切り縁用カバー材が取り付けられる見切り縁は、表板部を有するものであればよく、上記見切り縁１００に限定されない。例えば前板部１０７および折返し部１０９を有しないものであってもよく、前板部１０７を有し、折返し部１０９を有しないものであってもよい。前板部１０７および折返し部１０９を有しない場合、側面部１５の高さｈは、（見切り縁１００の表板部１０１の厚さ）〜（見切り縁１００の表板部１０１の厚さ＋１．０ｍｍ）の範囲内であることが好ましく、（見切り縁１００の表板部１０１の厚さ）〜（見切り縁１００の表板部１０１の厚さ＋０．５ｍｍ）の範囲内であることがより好ましい。
上記実施形態では、前板部１０７と天井２００との間、および折返し部１０９と天井２００との間に隙間が存在する例を示したが、該隙間が存在しなくてもよい。見切り縁が前板部１０７および折返し部１０９を有しない場合、表板部と天井との間には隙間が存在してもよく存在しなくてもよい。表板部、前板部または折返し部と天井とが接触していても、上面部１３の挿入時に表板部等が変形する等により、それらの間に上面部１３が挿入可能であればよい。
第５〜第６実施形態では、突起１９が、見切り縁用カバー材５、６を見切り縁１００に取り付けたときに、見切り縁１００の折返し部１０９に係止される位置に形成されている例を示したが、見切り縁１００が折返し部１０９を有しない場合、突起１９は、見切り縁用カバー材５、６を見切り縁１００に取り付けたときに、見切り縁１００の前板部１０１に係止される位置に形成されていることが好ましい。
第６実施形態では、側面部１５の上端部、下面部１１の側面部１５側とは反対側の端部それぞれに軟質樹脂からなる舌片２１、舌片２３が突設されている例を示したが、舌片２１および舌片２３のいずれか一方のみが突設されていてもよい。
【符号の説明】
【００４２】
１、２、３、４、５、６  見切り縁用カバー材
１１  下面部
１３  上面部
１３ａ  傾斜面
１５  側面部
１７  突起
１９  突起
２１  舌片
２３  舌片
１００  見切り縁
１０１  表板部
１０３  裏板部
１０５  縦板部
１０７  前板部
１０９  折返し部
２００  天井
２１０  化粧シート
３００  壁
３１０  化粧シート
【図１】
2017089264.tif 000003
【図２】
2017089264.tif 000004
【図３】
2017089264.tif 000005
【図４】
2017089264.tif 000006
【図５】
2017089264.tif 000007
【図６】
2017089264.tif 000008
【図７】
2017089264.tif 000009
【図８】
2017089264.tif 000010
【図９】
2017089264.tif 000011
【図１０】
2017089264.tif 000012